(57)【要約】  【課題】  温度センサ等を設けることなく上記イメージセンサの温度を求め，求められた温度に基づいて上記冷却ファン等の冷却手段を駆動することによって，コストアップを抑え，且つ，冷却手段の電力消費量を削減すること。  【解決手段】  読取動作時に発熱するＣＩＳ１２を冷却する冷却ファン１４とこれを制御するドライバ１６０とを設けておき，上記ＣＩＳ１２の読取動作時間をタイマ１７０でカウントし，予め記憶部に格納しておいた相関特性Ｐ１（例えば時間−温度特性）と上記カウント値とから上記ＣＩＳ１２の予測温度を求め，この予測温度に基づいて，上記ＣＩＳ１２の読取動作停止後に上記ドライバ１６０によって駆動される上記冷却ファン１４の停止後駆動時間を決定する。【選択図】図７
2006339778.tif 000002
【特許請求の範囲】
【請求項１】
読取動作時に発熱する第１の画像読取手段と，少なくとも上記第１の画像読取手段を冷却する冷却手段と，上記冷却手段の駆動を制御する制御手段とを備えてなる画像読取装置であって，
上記第１の画像読取手段による読取動作の開始から停止までの読取動作時間を計時する計時手段と，
上記第１の画像読取手段の読取動作時間と該第１の画像読取手段の温度との相関特性が予め記憶された相関特性記憶手段と，
上記計時手段により計時された読取動作時間及び上記相関特性記憶手段に記憶された相関特性から求められる上記第１の画像読取手段の予測温度に基づいて，上記第１の画像読取手段の読取動作停止後に上記制御手段によって駆動される上記冷却手段の停止後駆動時間を決定する停止後駆動時間決定手段と，
を具備してなることを特徴とする画像読取装置。
【請求項２】
上記停止後駆動時間決定手段が，
上記予測温度と予め定められた基準温度とを比較することにより，上記予測温度が上記基準温度未満であると判定された場合は上記停止後駆動時間を零に決定し，上記予測温度が上記基準温度以上であると判定された場合は，上記停止後駆動時間を上記予測温度に応じた駆動時間に決定するものである請求項１に記載の画像読取装置。
【請求項３】
上記第１の画像読取手段の周辺に配設された第２の画像読取手段に設けられた発熱体の発熱状況が上記第１の画像読取手段の温度に与える影響度を記憶する影響度記憶手段と，
上記影響度記憶手段に記憶された影響度に基づいて上記相関特性記憶手段に記憶された相関特性を更新する相関特性更新手段と，
を更に具備してなる請求項１又は２のいずれかに記載の画像読取装置。
【請求項４】
上記相関特性更新手段が，上記第１の画像読取手段による読取動作が開始される直前の上記影響度に基づいて上記相関特性を更新するものである請求項３に記載の画像読取装置。
【請求項５】
上記第１の画像読取手段の周辺に配設された第２の画像読取手段に設けられた発熱体の発熱状況が上記第１の画像読取手段の温度に与える影響度を記憶する影響度記憶手段を更に備え，
上記停止後駆動時間決定手段が，上記予測温度に基いて決定された停止後駆動時間を上記影響度に基づいて補正するものである請求項１又は２のいずれかに記載の画像読取装置。
【請求項６】
上記発熱状況が，上記第２の画像読取手段による読取動作の開始から停止までの上記発熱体の発熱時間，及び／又は，上記第２の画像読取手段による読取動作の停止から開始までの上記発熱体の非発熱時間である請求項２〜５のいずれかに記載の画像読取装置。
【請求項７】
上記第１の画像読取手段が，上記原稿の裏面を読み取るＣＩＳ又はＣＭＯＳを含んでなる請求項１〜６のいずれかに記載の画像読取装置。
【請求項８】
上記第２の画像読取手段が，上記原稿の表面を読み取るＣＣＤを含んでなる請求項２〜７のいずれかに記載の画像読取装置。
【発明の詳細な説明】
【技術分野】
【０００１】
本発明は，読取動作時に発熱するＣＩＳ等で構成される画像読取手段と該画像読取手段を冷却する冷却ファンなどの冷却手段とを備えた画像読取装置であって，特に，上記画像読取手段による読取動作停止後における上記冷却ファンの駆動時間（停止後駆動時間）を決定（設定）する機能を備えた画像読取装置に関するものである。
【背景技術】
【０００２】
原稿の両面（表裏面）の画像を一度の動作で読み取る両面読取機能を備えた従来公知の画像読取装置には，一般に，原稿の表面画像を読み取る手段としてＣＣＤ（Charge Coupled Device，電荷結合素子）が用いられ，原稿の裏面画像を読み取る手段としてＣＩＳ（Contact Image Sensor，密着型撮像素子）やＣＭＯＳ（Complementary Metal-Oxide Semiconductor，相補型金属酸化膜半導体）等のイメージセンサが用いられている。
ところで，上記ＣＩＳやＣＭＯＳなどのイメージセンサの耐熱温度は比較的低く，概ね６０℃程度である。これに対し，画像読取装置内部の温度は，上記イメージセンサ自身による発熱，或いはモータや露光装置などの駆動による発熱のため，上記耐熱温度を超えることがある。そのため，従来，上記画像読取装置の内部には，上記イメージセンサを冷却するための冷却ファン（冷却手段）が設けられている。
【０００３】
一方，特許文献１には，画像形成処理により発生した熱を冷却するための冷却ファンを設け，画像形成処理が終了した場合でもすぐに冷却ファンを停止させずに，その後所定時間が経過するまで上記冷却ファンを駆動させる画像形成装置が開示されている。これにより，画像形成処理終了後の残留熱や装置内部の空気の停滞などによって装置内部が一時的に昇温する所謂オーバーシュートを防止することができる。
また，特許文献２には，連続的に原稿の表面画像を読み取らせた場合に，原稿表面に照射された照射光により熱を帯びたコンタクトガラスを冷却ファンにより冷却する画像読取装置が開示されている。この画像読取装置では，上記コンタクトガラスに温度センサを設けることが困難であるため，上記コンタクトガラスの近傍のフレームに温度センサを設け，この温度センサにより検出されたフレーム温度から該フレーム温度と相関のある上記コンタクトガラスの温度を求め，求められた温度が基準温度以上の場合に限り上記冷却ファンを作動させている。
【特許文献１】特開２００１−５３６６号公報
【特許文献２】特開平９−２９７５２２号公報
【発明の開示】
【発明が解決しようとする課題】
【０００４】
上述したように，画像読取装置には，ＣＩＳやＣＭＯＳなどのイメージセンサを冷却するための冷却ファンが設けられている。この冷却ファンを駆動制御する手法として，上記特許文献１及び２に記載の技術を適用することが考えられる。
例えば，特許文献１の技術を適用した場合は，図９に示すように，ＣＩＳの読取動作の開始時ｔ１に冷却ファンの駆動が開始され，読取動作の停止時ｔ３から所定時間Δｔが経過した時点で冷却ファンの駆動が停止される。このように冷却ファンが制御されることにより，オーバーシュート（図９中の破線）が防止され，イメージセンサの温度を耐熱温度未満に保つことができる。なお，図９及び後述の図１０は時間を横軸としたときのＣＩＳの実測温度と冷却ファンの駆動タイムチャートの一例を示す図であり，図中の符号ＫｅはＣＩＳの耐熱上限温度（例えば６０℃），Ｋ１は画像読取装置の停止後に飽和する内部の雰囲気温度（例えば２５℃），Ｋｓは冷却ファンの駆動により温度上昇が飽和したときの内部の雰囲気温度（飽和温度）を示す。
しかしながら，このような駆動制御では，図１０に示すように，ＣＩＳの読取動作の開始時ｔ１から読取動作の停止時ｔ２（＜ｔ３）までの時間が比較的短く，ＣＩＳの温度がそれほど上昇していない場合でも，上記ＣＩＳによる読取動作が終了した後から所定時間Δｔが経過するまで必ず冷却ファンが駆動される。この場合，上記停止時ｔ２に冷却ファンの駆動を停止させたとしても，ＣＩＳの温度が耐熱温度Ｋｅを超えないため，上記冷却ファンを所定時間Δｔだけ駆動させる必要はなく，このように駆動させると却って電力消費量が大きくなるという問題がある。
【０００５】
また，特許文献２の技術を適用した場合は，所定の温度に達した場合に限り上記冷却ファンが駆動されるため，上記消費電力の問題は解消されるが，ＣＩＳの温度或いはその周辺の雰囲気温度を検出するための温度センサが必要となり，画像読取装置の製造コストが上がるだけでなく，温度センサの取り付けスペースを確保しなければならないという問題が生じる。
【０００６】
従って，本発明は上記事情に鑑みてなされたものであり，その目的とするところは，温度センサ等を設けることなく上記イメージセンサの温度を求め，求められた温度に基づいて上記冷却ファン等の冷却手段を駆動することによって，コストアップを抑え，且つ，冷却手段の電力消費量を削減することが可能な画像読取装置を提供することにある。
【課題を解決するための手段】
【０００７】
上記目的を達成するために本発明は，読取動作時に発熱する第１の画像読取手段と，少なくとも上記第１の画像読取手段を冷却する冷却手段と，上記冷却手段の駆動を制御する制御手段とを備えてなる画像読取装置に適用され，上記第１の画像読取手段による読取動作が開始されてから停止されるまでの読取動作時間をタイマなどの計時手段で計時し，相関特性記憶手段に上記第１の画像読取手段の読取動作時間と該第１の画像読取手段の温度との相関特性（例えば時間−温度特性）を予め記憶しておき，上記計時手段により計時された読取動作時間及び上記相関特性記憶手段に記憶された相関特性から求められる上記第１の画像読取手段の予測温度に基づいて，上記第１の画像読取手段の読取動作停止後に上記制御手段によって駆動される上記冷却手段の停止後駆動時間を決定する（停止後駆動時間決定手段）ことを特徴とする画像読取装置として構成される。ここで，上記第１の画像読取手段としては，上記原稿の裏面を読み取るＣＩＳ或いはＣＭＯＳを含んでなるものが考えられる。
これにより，温度センサを用いることなく上記第１の画像読取手段の温度（予測温度）が求められるため，画像読取装置のコストアップが抑制される。また，上記予測温度に基づいて上記停止後駆動時間が決定されるため，冷却ファン等の冷却手段の電力消費量を削減することが可能となる。
なお，上記第１の画像読取手段の温度とは，該第１の画像読取手段そのものの温度のみならず，該第１の画像読取手段近傍の雰囲気温度を含む概念である。
上記停止後駆動時間の決定手法としては，上記予測温度と予め定められた基準温度とを比較することにより，上記予測温度が上記基準温度未満であると判定された場合は上記停止後駆動時間を零に決定し，上記予測温度が上記基準温度以上であると判定された場合は，上記停止後駆動時間を上記予測温度に応じた駆動時間に決定することが考えられる。
【０００８】
ところで，上記第１の画像読取手段の周辺の雰囲気温度はその周辺に配設された第２の画像読取手段が備える発熱体で発生する熱により影響を受ける。したがって，上記予測温度を求める際に用いられる上記相関特性は上記発熱体からの熱の影響を考慮したものでなければ，求められる予測温度に誤差（実際の温度との差）が生じるおそれがある。
そのため，上記第１の画像読取手段の周辺に配設された第２の画像読取手段に設けられた発熱体の発熱状況が上記第１の画像読取手段の温度に与える影響度を記憶する影響度記憶手段と，上記影響度記憶手段に記憶された影響度に基づいて上記相関特性記憶手段に記憶された相関特性を更新する相関特性更新手段と，が備えることが望ましい。これにより，更新された相関特性に基づいて上記予測温度が求められるため，上記予測温度の誤差を縮小させることが可能となる。その結果，正確な停止後駆動時間が決定される。なお，上記第２の画像読取手段としては，上記原稿の表面を読み取るＣＣＤを含んでなるものが考えられる。
この場合，上記相関特性更新手段が，上記第１の画像読取手段による読取動作が開始される直前の上記影響度に基づいて上記相関特性を更新するものであることが望ましい。直前の影響度に基づいて更新される相関特性が最も信頼度が高いからである。
【０００９】
また，上記影響度記憶手段が設けられている場合は，上記停止後駆動時間決定手段が，上記予測温度に基いて決定された停止後駆動時間を上記影響度に基づいて補正するものであることが考えられる。このように補正されることにより，仮に，上記予測温度に誤差が含まれていたとしても，その誤差は補正により縮小される。その結果，正確な停止後駆動時間が決定される。
【００１０】
ここで，上記発熱状況の具体例としては，上記第２の画像読取手段による読取動作の開始から停止までの上記発熱体の発熱時間や，上記第２の画像読取手段による読取動作の停止から開始までの上記発熱体の非発熱時間であることが考えられる。上記発熱時間や非発熱時間が上記第１の画像読取手段の周辺温度に影響を及ぼすものだからである。
【発明の効果】
【００１１】
上述の如く本発明が構成されることにより，温度センサを用いることなく上記第１の画像読取手段の温度（予測温度）が求められるため，画像読取装置のコストアップが抑制される。また，上記予測温度に基づいて，例えば，上記予測温度と予め定められた基準温度とを比較することにより，上記予測温度が上記基準温度未満であると判定された場合は上記停止後駆動時間が零に決定され，上記予測温度が上記基準温度以上であると判定された場合は，上記停止後駆動時間が上記予測温度に応じた駆動時間に決定されるため，冷却ファン等の冷却手段の電力消費量を削減することが可能となる。
また，上記第１の画像読取手段の周辺に配設された第２の画像読取手段に設けられた発熱体の発熱状況を考慮して上記停止後駆動時間が決定され，或いは決定された停止後駆動時間が補正されるため，正確な停止後駆動時間が決定される。
【発明を実施するための最良の形態】
【００１２】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施の形態に係る画像読取装置の一例であるスキャナ装置Ｘの概略構造を示す模式断面図，図２は上記スキャナ装置Ｘの主制御部１００の概略構成を示すブロック図，図３は相関特性の一例を示すグラフ図，図４は相関特性の他の例を示すグラフ図，図５はＣＣＤ２４の読取動作時間がＣＩＳ１２の温度に与える影響度の一例を示すグラフ図，図６はＣＣＤ２４の停止継続時間がＣＩＳ１２の温度に与える影響度の他の例を示すグラフ図，図７は主制御部１００のＣＰＵ１１０により実行される冷却ファン１４の駆動及び停止タイミングの決定処理の手順の一例を説明するフローチャート，図９及び図１０は時間を横軸としたときのＣＩＳ１２の温度と冷却ファン１４の駆動タイムチャートを示す図である。なお，上記ＣＩＳ１２の温度とは，ＣＩＳ１２自体の温度だけでなくＣＩＳ１２の近傍の雰囲気温度を含む概念であり，以下の説明においても同様である。
【００１３】
まず，図１の模式断面図を用いて，本発明の実施の形態に係るスキャナ装置Ｘの概略構成について説明する。なお，本スキャナ装置Ｘは，図１に示すように，原稿Ｓの表面画像を読み取るＣＣＤ２４と原稿の裏面画像を読み取るＣＩＳ１２の２つのイメージセンサを備え，一の原稿送り動作で略同時に原稿の表裏面の画像を読み取る両面読取機能を有するものである。なお，本スキャナ装置Ｘは，本発明の実施の形態に係る画像読取装置の一例である。このような画像読取装置としては，本スキャナ装置Ｘの他に，複写機，プリンタ装置，ファクシミリ装置，或いは，これら複数の装置の各機能を併せ持つデジタル複合機等に一体に設けられたものが該当する。また，この実施の形態では２つのイメージセンサを備えたスキャナ装置Ｘを例にとって説明するが，本発明は，ＣＩＳ，ＣＭＯＳ，ＣＣＤなどのいずれか一のイメージセンサのみを備えた画像読取装置にも適用可能であることはいうまでもない。
【００１４】
図１に示すように，本スキャナ装置Ｘは，大別すると，スキャナ本体２０と，該スキャナ本体２０の上方に配置された自動原稿送り装置（以下「ＡＤＦ」と称す）１０とを備えて構成される。
上記スキャナ本体２０には，上記ＡＤＦ１０から送り出され，搬送路１１内を搬送する原稿の表面Ｆに対して露光を行うハロゲンランプなどの露光装置２１（発熱体の一例）と，原稿表面Ｆに照射された照射光の該原稿表面Ｆからの反射光を光学レンズ２３に導くミラー２２ａ，２２ｂ，２２ｃと，上記反射光を集光する光学レンズ２３と，この光学レンズ２３により集光された反射光を受光するＣＣＤ２４と，本スキャナ装置Ｘの各構成要素を統括的に制御する主制御部１００とが備えられている。ここに，上記露光装置２１，ミラー２２ａ，２２ｂ，２２ｃ，光学レンズ２３及びＣＣＤ２４を含む光学系が第２の画像読取手段の一例に相当する。上記ＣＣＤ２４によって受光された反射光は該ＣＣＤ２４によって受光量に応じた画像信号（電気信号）に変換された後に上記主制御部１００に転送される。
上記露光装置２１は発光することにより熱の発生を伴うものである。この露光装置２１で生じた熱の一部は上記ＡＤＦ１０の内部に伝達され，該ＡＤＦ１０内部に配設された後述のＣＩＳ１２の温度に影響を与える。
【００１５】
また，上記ＡＤＦ１０には，該ＡＤＦ１０から送り出された原稿を搬送する搬送路１１内に，原稿裏面Ｒの画像データを読み取るＣＩＳ１２（第１の画像読取手段に相当）と，冷却ファン１４（冷却手段の一例）とが備えられている。なお，上記第１の画像読取手段の他の例としては，ＣＭＯＳなどが該当する。
上記ＣＩＳ１２は，受光した反射光に含まれる画像情報を上記主制御部１００が読み取り可能な画像信号（電気信号）に変換するものであって，ＬＥＤ等の光源，この光源から発光される光を原稿の幅方向に導くライトガイド，原稿裏面Ｒからの反射光を集光するレンズ，集光された反射光を受光するリニアフォトセンサ（直線状に配列された感光センサ）などを一体的に備えた一体型のイメージセンサである。このように構成されたＣＩＳ１２の読取動作が開始されると，該ＣＩＳ１２は，上記光源による発光や，リニアフォトセンサの駆動などによって発熱する。
なお，上記ＣＩＳ１２により取得された画像信号は上記主制御部１００へ転送される。
【００１６】
上記冷却ファン１４は，外部から外気を吸い込み上記ＡＤＦ１０の内部に滞留する空気を外部へ排出するために設けられている。この冷却ファン１４によって，昇温したＣＩＳ１２が後記する所定の処理により冷却される。なお，他の電子機器に比べて耐熱温度の低い上記ＣＩＳ１２を効果的に冷却する必要があるため，上記冷却ファン１４は，上記ＣＩＳ１２の近傍に配設されている。
また，上記冷却ファン１４は，上記主制御部１００が具備する後述の冷却ファンドライバ１６０（図２参照，以下「ドライバ」と略す）により駆動制御され，上記主制御部１００のＣＰＵ１１０（図２参照）によって，上記ドライバ１６０により駆動制御される上記冷却ファン１４の駆動タイミング及び停止タイミングが決定される。なお，これらのタイミングを決定する処理については図７のフローチャートを用いて後述する。
【００１７】
上記主制御部１００は，図２に示すように，ＣＰＵ１１０，ＣＣＤ読取回路１２０，ＣＩＳ読取回路１３０，画像データ出力部１４０，記憶部１５０，ドライバ１６０（制御手段の一例），タイマ１７０（計時手段の一例），及び図示しないＲＡＭ，ＲＯＭなどの電子デバイスを備える。
上記ＣＣＤ読取回路１２０は，上記ＣＣＤ２４により変換された電気信号を読み取ってデジタル画像データに変換する回路であり，上記ＣＩＳ読取回路１３０は，上記ＣＩＳ１２により変換された電気信号を読み取ってデジタル画像データに変換する回路である。これらの各回路には，変換されたデジタル画像データの画質を補正する各種の補正回路（色補正回路，ガンマ補正回路，ＭＴＦ補正回路，色収差補正回路など）が組み込まれており，上記変換されたディジタル画像データは上記各補正回路によりその画質が補正される。
上記補正された画像データは上記画像データ出力部１４０からパーソナルコンピュータなどの外部端末や複写機，ファクシミリ装置などに出力される。
【００１８】
上記記憶部１５０には，上記ＣＰＵ１１０により実行される処理（図７のフローチャート参照）に用いられる種々のデータが記憶されている。例えば，過去に上記ＣＣＤ２４による読取動作が行われたときのその読取動作時間（ＣＣＤ２４の読取動作開始から停止までの時間）や，ＣＣＤ２４の停止継続時間（ＣＣＤ２４の読取動作停止から開始までの時間）などが蓄積記憶されている。ここに，上記読取動作時間とは，例えば複数枚の原稿をＣＣＤ２４で読み取らせる場合は，最初の原稿の読み取り開始から全ての原稿の読み取り完了までに費やされた時間をいい，上記停止継続時間とは，ＣＣＤ２４が使用されていない状態の継続時間をいう。なお，これらの時間は，ＣＣＤ２４の読取動作がなされる毎にタイマなどでカウントされ，記憶される。
【００１９】
また，上記記憶部１５０には，相関特性格納領域１５１（相関特性記憶手段に相当）と影響度格納領域１５２（影響度記憶手段に相当）とが確保されている。
上記相関特性格納領域１５１には，上記ＣＩＳ１２の読取動作に費やされる読取動作時間（横軸）と上記ＣＩＳ１２の温度（縦軸）との相関特性（即ち，時間―温度特性）が予め記憶されている。
図３に，上記相関特性の一例（実線Ｐ１）を示す。この相関特性Ｐ１は，上記ＣＩＳ１２の読取動作中に該ＣＩＳ１２の温度を予め温度センサなどで実測することにより得られるデータである。なお，上記相関特性Ｐ１の信頼度を高めるべく，複数回にわたって上記ＣＩＳ１２の温度を実測し，その平均値を上記相関特性Ｐ１とすることが望ましい。また，上記相関特性Ｐ１は，上記ＣＩＳ１２の温度を測定する時間帯（例えば昼と夜）或いは時期（季節）によって変動するため，夫々の時間帯或いは時期毎に温度を実測しておき，夫々の時間帯或いは時期毎の相関特性を得ておくことが望ましい。
また，図４に，上記相関特性の他の例（実線Ｐ２）を示す。なお，図中の破線は上記相関特性Ｐ１を示す。この相関特性Ｐ２は，上記相関特性Ｐ１を３つの直線式Ｐ２ａ，Ｐ２ｂ，Ｐ２ｃで近似的に表したものである。例えば，下記の表１に示すように，ＣＩＳ１２の読取動作時間ｔが０≦ｔ＜ｔｘの時のＣＩＳ温度ＫはＫ＝ａｔ＋ｂ，読取動作時間ｔがｔｘ≦ｔ＜ｔｙの時のＣＩＳ温度ＫはＫ＝ｃｔ＋ｄ，読取動作時間ｔがｔ≧ｔｙの時のＣＩＳ温度ＫはＫ＝ｅｔ＋ｆといった具合に近似的に表わされている。
【表１】
2006339778.tif 000003
【００２０】
一方，上記影響度格納領域１５２には，上記露光装置２１の発熱状況が上記ＣＩＳ１２の温度に与える影響度を示す影響度特性が予め記憶されている。具体的には，図５に示す影響度特性Ｐ３，及び図６に示す影響度特性Ｐ４が記憶されている。ここに，図５の影響度特性Ｐ３は，ＣＣＤ２４の読取動作時間（ＣＣＤ２４の読取動作開始から停止までの時間）と該読取動作時間がＣＩＳ１２の温度に与える温度上昇幅との関係を示す。また，図６の影響度特性Ｐ４は，ＣＣＤ２４の読取動作の停止継続時間（ＣＣＤ２４の読取動作停止から開始までの時間）と該停止継続時間がＣＩＳ１２の温度に与える温度低下幅との関係を示す。なお，上記温度上昇幅や上記温度低下幅は影響度の一例に相当する。
ここで，上記ＣＣＤ２４の読取動作時間中は全ての原稿の読み取りが終了するまで上記露光装置２１もほぼ継続的に発光しているため，上記読取動作時間は上記露光装置２１の発熱時間（発光時間）とみなすことができ，同様に，上記停止継続時間は上記露光装置２１の非発熱時間（非発光時間）とみなすことができる。
【００２１】
上記ドライバ１６０は，上記冷却ファン１４の駆動を制御するものであり，具体的には，上記冷却ファン１４を構成するモータの駆動を制御するモータドライバである。このドライバ１６０は，上記ＣＰＵ１１０により決定される駆動タイミング及び停止タイミングで上記冷却ファン１４の駆動・停止を制御する。
また，上記タイマ１７０は，上記ＣＩＳ１２による読取動作の開始から停止までの読取動作時間，或いは上記ＣＣＤ２４による読取動作時間，上記ＣＣＤ２４の停止継続時間などを計時（カウント）するものである。上記タイマ１７０によりカウントされたカウント値は上記タイマ１７０に内蔵されたカウンタメモリ或いは図示しないＲＡＭなどに一時的に記憶される。
【００２２】
続いて，図７のフローチャートを用いて，本発明の実施の形態に係るスキャナ装置Ｘにおいて実行される冷却ファン１２の駆動及び停止タイミングの決定処理の手順の一例について説明する。かかる処理は上記主制御部１００のＣＰＵ１１０によって，上記記憶部１５０内に格納されたデータ（特性）を用いて実行される。なお，図中のＳ１０，Ｓ２０，…は処理手順（ステップ）番号を示す。処理はステップＳ１０より開始される。
【００２３】
原稿がＡＤＦ１０（図１）にセットされ，ユーザにより図示しない操作部から両面画像読取指示が入力されると，ステップＳ１０では，上記ＣＰＵ１１０によって，両面画像読取指示信号の入力の有無が判断される。かかる判断は，上記指示信号が入力されるまで継続して行われる。ここで，上記指示信号が入力されたと判断されると，処理はステップＳ２０に進む。
ステップＳ２０では，上記ＣＣＤ２４の停止継続時間，即ち，ＣＣＤ２４の読取動作が終了（停止）してから再度開始されるまでの時間が，予め定められた所定時間以上であるかどうかが判断される。この実施の形態では，上記ＣＣＤ２４の停止継続時間は，該ＣＣＤ２４による前回の読取動作の終了時から上記両面印刷指示信号が入力されるまでの時間とする。かかる時間は予めタイマなどにカウントさせることで得られる。
上記ステップＳ２０の判断処理は，後述する相関特性の更新処理を行うかどうかを判断するために行われる処理である。ここで，上記所定時間以上であると判断されると，処理はＳ３０に進み，所定時間未満であると判断されると，処理はステップＳ１２０に進む。なお，ステップＳ１２０以下の更新処理については後述する。
【００２４】
処理がステップＳ３０に進むと，ＣＣＤ２４及びＣＩＳ１２の読取動作が開始され（ステップＳ３０），それと同時に，上記タイマ１７０によるカウントが開始される（ステップＳ４０）。上記タイマ１７０は，上記ＣＩＳ１２の読取動作時間をカウントするべく，後述するように，ＣＩＳ１２の読取動作が終了するまで作動する。
上記タイマ１７０によるカウントが開始されると，その後，上記冷却ファン１４が駆動される（ステップＳ５０）。なお，上記冷却ファン１４の駆動は，上記ＣＰＵ１１０によって上記ドライバ１６０に駆動信号が出力されることにより上記ドライバ１６０によって制御される。
【００２５】
続いて，上記ＣＩＳ１２によって，全ての原稿の裏面画像が読み取られたか否か，即ち，上記ＣＩＳ１２による読取動作が終了したか否かが判断される（ステップＳ６０）。かかる判断は，ＡＤＦ１０にセットされた原稿の有無，或いは搬送路１１を搬送する原稿の有無を光学センサで検出することにより行われる。上記ＣＩＳ１２による読取動作が終了したと判断されると，上記ステップＳ４０で開始させたタイマ１７０のカウントを停止させ，そのカウント値が読み取られる（ステップＳ７０）。その後，上記タイマ１７０はリセットされる。ここに，上記ステップＳ７０で読み取られたカウント値が上記ＣＩＳ１２の読取動作時間である。
【００２６】
続いて，ステップＳ８０では，上記ステップＳ７０で読み取られた上記タイマ１７０のカウント値，即ち，ＣＩＳ１２の読取動作時間と，前記相関特性格納領域１５１に格納された相関特性Ｐ１（図３参照）とから，上記ＣＰＵ１１０によって，上記ＣＩＳ１２の温度が予測される。即ち，上記ＣＩＳ１２の予測温度が求められる。例えば，上記ＣＩＳ１２の読取動作時間が１５ｓｅｃである場合は，上記相関特性Ｐ１に基づいて４３℃という予測温度が求められる。
なお，上記ステップＳ８０の処理において，上記相関特性Ｐ１に代えて，相関特性Ｐ２（図４参照）を用いてもよい。この場合，上記読取動作時間に対応する予測温度の算出式（表１参照）を用いて該予測温度が算出される。
ここで，上記相関特性は，本スキャナ装置Ｘが設置された環境温度によって変動することを考慮すると，上記ステップＳ８０の処理において用いる相関特性を，環境温度に応じて変更することが望ましい。例えば，本スキャナ装置Ｘに時計機能或いはカレンダー機能を設けておき，更に，前記相関特性格納領域１５１に所定の時間帯或いは時期毎の相関特性を格納しておき，上記時計機能或いはカレンダー機能により得られた時間或いは時期に応じた相関特性を上記相関特性格納領域１５１から抽出し，この抽出された相関特性を用いて上記予測温度を求めることが考えられる。
【００２７】
上記ステップＳ８０において，上記予測温度が求められると，続いて，ステップＳ９０では，求められた予測温度に対応する冷却ファン１４の停止後駆動時間が上記ＣＰＵ１１０によって決定される。なお，上記停止後駆動時間とは，上記ＣＩＳ１２の読取動作停止後に上記ドライバ１６０（図２参照）により駆動される冷却ファン１４の駆動時間のことをいう。
ここで，上記停止後駆動時間の決定処理の具体例としては，予め上記記憶部１５０に下記表２に示すような予測時間と冷却ファン１４の停止後駆動時間との対応関係を示すテーブルデータを記憶しておき，上記ステップＳ８０で求められた予測温度と予め定められた温度４０℃（基準温度に相当）とを比較して決定してもよい。例えば，上記予測温度が４０℃未満である場合は，上記停止後駆動時間は０ｓｅｃに決定される。また，上記予測温度が４０℃以上である場合は，上記停止後駆動時間は上記予測温度に対応する時間に決定される。更に，上記ＣＩＳ１２の読取動作時間が１５ｓｅｃであり，そのときに求められた予測時間が４３℃である場合（図３参照）は，上記停止後駆動時間は１２０ｓｅｃに決定される。また，上記ＣＩＳ１２の読取動作時間が２０ｓｅｃであり，そのときに求められた予測時間が５２℃である場合（図３参照）は，上記停止後駆動時間は３００ｓｅｃに決定される。
【表２】
2006339778.tif 000004
【００２８】
その後，上記ステップＳ９０で求められた停止後駆動時間が経過すると（ステップＳ１１０のＹｅｓ側），上記ＣＰＵ１１０から上記ドライバ１６０へ冷却ファン１４の停止信号が出力され，上記ドライバ１６０によって上記冷却ファン１４が停止される。なお，上記停止後自動時間が０ｓｅｃに決定された場合は，かかる決定ののち直ちに上記冷却ファン１４が停止される。
このように，本スキャナ装置Ｘでは，温度センサ等を設けることなく上記ＣＩＳ１２の予測温度が求められ，この予測温度に基づいて上記冷却ファン１４の停止タイミングが決定される。これにより，温度センサに相当するコストの増加が抑えられる。また，上記ＣＩＳ１２の温度に応じて必要な時間だけ冷却ファン１４が駆動されるため，冷却ファン１４で消費される電力消費量を削減することが可能となる。
【００２９】
続いて，上記ステップＳ２０において，ＣＣＤ２４の停止継続時間が所定時間未満であると判断された場合の処理（相関特性の更新処理を含む）の手順について説明する。
ここで，上記相関特性の更新処理の必要性について説明する。
本スキャナ装置Ｘには，前記したように，上記ＣＩＳ１２の他にＣＣＤ２４も設けられている。そのため，例えば，前回の上記ＣＣＤ２４の読取動作時間如何によっては，上記露光装置２１の発光により上記ＣＩＳ１２の温度が昇温される場合があり，このように昇温した状態で，上記ステップＳ８０において予測温度が求められると，求められる予測温度の誤差（実際の温度との差）が大きくなるという問題がある。このような問題を解消するために，上記相関特性の更新処理が行われる。
【００３０】
まず，ステップＳ１２０では，前回のＣＣＤ２４による読取動作が行われたときのＣＣＤ２４の読取動作時間（実際に読取動作に要した時間）や，前回のＣＣＤ２４の読取動作終了から今回の読取開始までの停止継続時間が上記記憶部１５０から読み出され，読み出された読取動作時間或いは停止継続時間と上記影響度格納領域１５２に記憶された影響度特性（Ｐ３又はＰ４）とに基づいて上記ＣＩＳ１２の温度（ＣＩＳ１２の周辺の雰囲気温度を含む）に与える影響度を求める算定処理が上記ＣＰＵ１１０によって行われる。
具体的には，まず，上記ＣＣＤ２４の読取動作時間と上記影響度特性Ｐ３（図５参照）とに基づいて，上記ＣＩＳ１２の温度の上昇幅が求められる。例えば，ＣＣＤ２４による前回（ＣＩＳ１２による読取動作が行われる直前）の読取動作時間が４０ｓｅｃである場合は，上記影響度特性Ｐ３からＣＩＳ１２の温度の上昇幅６℃が求められる（図５参照）。したがって，この場合は，上記ＣＩＳ１２が読取動作をしていない場合でも，上記ＣＣＤ２４の読取動作により（上記露光装置２１の発光により）上記ＣＩＳ１２の温度が６度上昇しているものと予測される。
また，上記ＣＣＤ２４の停止継続時間と上記影響度特性Ｐ４（図６参照）とに基づいて，ＣＩＳ１２の温度の低下幅が求められる。例えば，ＣＩＳ１２による読取動作が行われる直前の上記ＣＣＤ２４の停止継続時間が５ｓｅｃである場合は，上記影響度特性Ｐ４からＣＩＳ１２の温度の低下幅２℃が求められる（図６参照）。したがって，この場合は，上記ＣＣＤ２４の読取動作の影響を受けてＣＩＳ１２の雰囲気温度が上昇したとしても，その読取動作の終了後に上記ＣＩＳ１２の温度が３℃だけ低下していることが予測される。
なお，上述の具体例では，温度の上昇幅６℃と低下幅２℃とが予測されているため，これらを相殺すると，結局のところ，上記ＣＩＳ１２の温度が上記ＣＣＤ２４の読取動作により４℃だけ上昇していると予測される。このように予測された温度（例えば＋４℃）は影響度の一例に相当する。
【００３１】
上記影響度が算定されると，続いて，ステップＳ１３０において，上記相関特性格納領域１５１に記憶された相関特性を更新する更新処理が上記ＣＰＵ１１０によって実行される。上述の具体例を用いて説明すると，上記影響度が＋４℃である場合は，図３に示す相関特性Ｐ１を縦軸方向へ＋４℃分だけシフトさせる処理が上記更新処理の一例である。なお，このように＋４℃シフトされた相関特性Ｐ１′（破線）を図３に示す。
上記更新処理がなされた後は，処理はステップＳ３０に進み，それ以降の処理が順次実行される。この場合は，上記ステップＳ８０における予測温度は上記相関特性Ｐ１′を用いて求められる。
このように，上記相関特性が更新されるため，ＣＩＳ１２の読取動作時において，ＣＣＤ２４の読取動作の影響によりＣＩＳ１２の温度が上昇している場合であっても，その温度上昇分が加味された相関特性により予測温度が求められるため，求められた予測温度と実際の温度との誤差が広がるという問題が解決される。したがって，上記冷却ファン１４の停止後駆動時間が正確に決定される。
なお，この実施の形態では，上記ステップＳ１３０において，上記相関特性Ｐ１を更新する処理例について説明するが，例えば，上記相関特性Ｐ１を更新しないままで予測温度求め，この求められた予測温度を上記影響度に基づいて補正するようにしてもかまわない。
【実施例】
【００３２】
ここでは，図８のフローチャートを用いて，上記ＣＰＵ１１０により実行される上記駆動及び停止タイミングの決定処理の手順の他の例について説明する。なお，図７のフローチャートと同じ処理手順については同符号を付することによりその説明を省略する。
ステップＳ１０において両面印刷指示が確認されると，続いて，処理はステップＳ３０に進み，該ステップＳ３０〜ステップＳ９０の処理が行われ，上記冷却ファン１４の停止後駆動時間が決定される。
その後，ステップＳ９１において，前記したステップＳ２０の処理と同様の判断処理，即ち，上記ＣＣＤ２４の停止継続時間が，予め定められた所定時間以上であるかどうかが判断される。
ここで，上記停止継続時間が所定時間未満であると判断されると，処理はステップＳ１２０に進み，上記ＣＩＳ１２の温度に与える影響度が求められる。
本実施例における駆動及び停止タイミングの決定処理は，上記ステップＳ１２０で影響度が求められると，該影響度に基づいて上記ステップＳ９０で決定された停止後駆動時間を補正する補正処理がステップＳ１３０′で実行される点において，上述の実施の形態のものとは異なる。
上記補正処理の具体例としては，予め上記記憶部１５０に下記表３に示すようなＣＩＳ１２の温度上昇幅（影響度）と該温度上昇幅に対応する補正率との対応関係を示すテーブルデータを記憶しておき，上記ステップＳ９０で決定された停止後駆動時間に上記ステップ１２０で求められた影響度に応じた補正率を乗じることにより補正することが考えられる。
【表３】
2006339778.tif 000005
なお，上述のように，上記補正処理は上記影響度に応じて異なる補正率を乗じるものであってもよいが，もちろん，上記ＣＣＤ２４の読取動作により上記ＣＩＳ１２の温度が上昇している場合に，一律に定められた補正率を上記ステップＳ９０で決定された停止後駆動時間に乗じるようにしてもかまわない。
このように上記停止後駆動時間が補正されることにより，ＣＣＤ２４の読取動作の影響によりＣＩＳ１２の温度が上昇している場合であっても，その温度上昇分が加味された停止後駆動時間が決定される。
【図面の簡単な説明】
【００３３】
【図１】本発明の実施の形態に係る画像読取装置の一例であるスキャナ装置Ｘの概略構造を示す模式断面図。
【図２】スキャナ装置Ｘの主制御部１００の概略構成を示すブロック図。
【図３】相関特性の一例を示すグラフ図。
【図４】相関特性の他の例を示すグラフ図。
【図５】ＣＣＤ２４の読取動作時間がＣＩＳ１２の温度に与える影響度の一例を示すグラフ図。
【図６】ＣＣＤ２４の停止継続時間がＣＩＳ１２の温度に与える影響度の他の例を示すグラフ図。
【図７】主制御部１００のＣＰＵ１１０により実行される冷却ファン１４の駆動及び停止タイミングの決定処理の手順の一例を説明するフローチャート。
【図８】主制御部１００のＣＰＵ１１０により実行される冷却ファン１４の駆動及び停止タイミングの決定処理の手順の他の例を説明するフローチャート。
【図９】時間を横軸としたときのＣＩＳ１２の実測温度と冷却ファン１４の駆動タイムチャートの一例を示す図。
【図１０】時間を横軸としたときのＣＩＳ１２の実測温度と冷却ファン１４の駆動タイムチャートの他の例を示す図。
【符号の説明】
【００３４】
Ｘ…スキャナ装置
Ｓ…原稿
１０…自動原稿送り装置（ＡＤＦ）
１１…搬送路
１２…ＣＩＳ（第１の画像読取手段の一例）
１４…冷却ファン（冷却手段の一例）
２０…スキャナ本体
２１…露光装置（発熱体の一例）
２２…ミラー
２３…光学レンズ（集光レンズ）
２４…ＣＣＤ（第２の画像読取手段の一例）
１００…主制御部
１１０…ＣＰＵ
１２０…ＣＣＤ読取回路
１３０…ＣＩＳ読取回路
１４０…画像データ出力部
１５０…記憶部
１６０…冷却ファンドライバ（制御手段の一例）
１７０…タイマ（計時手段の一例）
【図１】
2006339778.tif 000006
【図２】
2006339778.tif 000007
【図３】
2006339778.tif 000008
【図４】
2006339778.tif 000009
【図５】
2006339778.tif 000010
【図６】
2006339778.tif 000011
【図７】
2006339778.tif 000012
【図８】
2006339778.tif 000013
【図９】
2006339778.tif 000014
【図１０】
2006339778.tif 000015